(57)【要約】【課題】ケースの保護性能が高められた空気調和装置を提供すること。【解決手段】空気調和装置（１０）は、壁（Ｗａ）に取り付けられる支持板（３１）と、この支持板（３１）によって支持され熱交換器（３４）が収納されたケース（４０）と、このケース（４０）の下部に開けられたケース開口部（５１ａ）の縁に着脱可能に設けられケース（４０）内部の塵埃が収集されるダストボックス（７０）と、を有する。支持板（３１）は、壁（Ｗａ）から前方に突出し、ケース（４０）が掛けられた突出部（３１ｂ）を有している。ケース開口部（５１ａ）は、ケース（４０）の底面視を基準として、突出部（３１ｂ）の前方に位置している。【選択図】図５
2020008175.tif 000002
【特許請求の範囲】
【請求項１】
壁に取り付けられる支持板と、この支持板によって支持され熱交換器が収納されたケースと、このケースの下部に開けられたケース開口部の縁に着脱可能に設けられ前記ケース内部の塵埃が収集されるダストボックスと、を有する空気調和装置において、
前記支持板は、前記壁から前方に突出し、前記ケースが掛けられた突出部を有し、
前記ケース開口部は、前記ケースの底面視を基準として、前記突出部の前方に位置していることを特徴とする空気調和装置。
【請求項２】
前記ケース開口部の左右方向の中央位置は、前記突出部の左右方向の中央位置から前方に延びる線上に位置することを特徴とする請求項１に記載の空気調和装置。
【請求項３】
前記ケースは、前記ケース開口部の縁の後部から立ち上げられ前記ケースの後端を仕切るケース後壁部と、このケース後壁部の後方において前記突出部に掛けられたケース爪部と、を有し、
前記ケース後壁部には、前記爪部の前方の位置に後壁穴部が空けられ、
この後壁穴部の縁に、前記ダストボックスが掛けられていることを特徴とする請求項１又は請求項２いずれか１項記載の空気調和装置。
【発明の詳細な説明】
【技術分野】
【０００１】
本発明は、塵埃が収集されるダストボックスを備えた、空気調和装置に関する。
【背景技術】
【０００２】
多くの空気調和装置において、ケースに開けられた空気導入口には、ケース内への塵埃の侵入を抑制するためのフィルタが設けられている。このフィルタに付着した塵埃は、フィルタ清掃運転によって除去される。フィルタ清掃運転によってフィルタから除去された塵埃は、ケースの下部に設けられたダストボックスに収集される。このような空気調和装置に関する従来技術として、特許文献１に開示される技術がある。
【０００３】
特許文献１に示されるような、空気調和装置は、ケース内部の塵埃が収集されるダストボックスが、ケースの下部に開けられたケース開口部に着脱可能に設けられてなる。
【０００４】
ダストボックスをケースから取り外すことにより、ダストボックスに収集された塵埃を捨てることができる。
【先行技術文献】
【特許文献】
【０００５】
【特許文献１】特開２００８−５７８８１号公報
【発明の概要】
【発明が解決しようとする課題】
【０００６】
ケースの下部に設けられたダストボックスを外す際には、ケースに下向きの力が加わる。空気調和装置は、重量物であるため、ケース保護の観点から対策が望まれる。
【０００７】
本発明は、ケースの保護性能が高められた空気調和装置の提供を課題とする。
【課題を解決するための手段】
【０００８】
本発明によれば、壁に取り付けられる支持板と、この支持板によって支持され熱交換器が収納されたケースと、このケースの下部に開けられたケース開口部の縁に着脱可能に設けられ前記ケース内部の塵埃が収集されるダストボックスと、を有する空気調和装置において、
前記支持板は、前記壁から前方に突出し、前記ケースが掛けられた突出部を有し、
前記ケース開口部は、前記ケースの底面視を基準として、前記突出部の前方に位置していることを特徴とする空気調和装置が提供される。
【発明の効果】
【０００９】
本発明では、ケースの下部に空けられたケース開口部の縁にダストボックスが掛けられている。ダストボックスが縁に掛けられるケース開口部は、ケースの底面視を基準として、突出部の前方に位置している。ダストボックスをケースから取り外す際に、ケースには、下向きの力が加わる。ダストボックスが設けられるケース開口部が突出部の前方に形成されているため、ケースに加わる負荷を支持板に逃がすことができる。支持板に負荷の多くを逃がすことにより、ケースに加わる負荷を軽減させることができる。ケースの保護性能が高められた空気調和装置を提供することができる。
【図面の簡単な説明】
【００１０】
【図１】本発明の実施例による空気調和装置を模式的に示した図である。
【図２】図１に示された室内機の斜視図である。
【図３】図２の３−３線断面図である。
【図４】図２に示された室内機の分解斜視図である。
【図５】図２に示された室内機の底面図である。
【図６】図４の６−６線断面図である。
【図７】図６に示されたダストボックスの外し方について説明する図である。
【発明を実施するための形態】
【００１１】
本発明の実施の形態を添付図に基づいて以下に説明する。なお、説明中、前後とは室内機の掛けられている壁から突出する方向を前とし、壁を後とする。また、図中Ｆｒは前、Ｒｒは後、Ｌｅは左、Ｒｉは右、Ｕｐは上、Ｄｎは下を示している。
＜実施例＞
【００１２】
図１を参照する。図１には、本発明による冷房装置を含む空気調和装置１０が示されている。空気調和装置１０は、屋内Ｉｎを冷却する冷房機能と、屋内Ｉｎを暖房する暖房機能と、を備えている。
【００１３】
空気調和装置１０は、屋外Ｏｕに設けられた室外機２０及び屋内Ｉｎに設けられた室内機３０を備えてなる。室外機２０と、室内機３０とは、冷媒を循環させることができるよう互いに接続されている。以下、特に説明のない限り、冷媒の循環する方向は、冷房運転時を基準とする。
【００１４】
室外機２０は、冷房運転時及び暖房運転時における冷媒の循環する方向を切り替える四路切替弁２１と、この四路切替弁２１を通過した冷媒が流され冷媒を圧縮する圧縮機２２と、この圧縮機２２において圧縮され高温高圧となった冷媒が流れる室外熱交換器２３と、この室外熱交換器２３に向かって送風を行う室外ファン２４と、室外熱交換器２３を通過した冷媒を減圧する膨張弁２５と、を有する。
【００１５】
図２及び図３を参照する。室内機３０は、屋内Ｉｎにおいて壁Ｗａに掛けて用いられる。室内機３０は、金属板製の支持板３１が壁Ｗａに固定され、この支持板３１によってケース４０が支持されてなる。ケース４０には、屋内Ｉｎの空気をケース４０内に取り込み屋内Ｉｎへ送風を行う室内ファン３３と、この室内ファン３３が取り込んだ空気と熱交換を行う複数の室内熱交換器３４と、これらの室内熱交換器３４の上方に配置されケース４０内への塵埃の侵入を抑制するフィルタユニット６０と、このフィルタユニット６０に付着した塵埃を絡め取る清掃ユニット３６と、この清掃ユニット３６が絡め取った塵埃を収集するダストボックス７０と、が収納されてなる。
【００１６】
図１を参照する。冷房運転時において、圧縮機２２で高温高圧とされた冷媒は、室外熱交換器２３において外気と熱交換を行い、熱を放出する。このとき、室外ファン２４が作動することによって、外気を強制的に室外熱交換器２３の外周に流し、熱交換を促す。室外熱交換器２３を通過し熱を放出した冷媒は、膨張弁２５において減圧され、温度が低下する。
【００１７】
図３を参照する。室内ファン３３が作動することにより、ケース４０内には上部に開けられた空気導入口４２ａから空気が導入される。導入された空気は、室内熱交換器３４の外周を通過し、下部に開けられた送風口４２ｂから屋内Ｉｎに送風される。一方、室内熱交換器３４には、室外機２０において冷却された冷媒が供給されている。室内熱交換器３４の外周を通過する空気は、冷媒と熱交換を行い、冷却される。つまり、屋内Ｉｎには、冷却された空気が送風される。
【００１８】
図１を併せて参照する。暖房運転時には、四路切替弁２１が冷媒の流路を切り替え、冷房運転時とは逆方向に冷媒を循環させる。
【００１９】
図３を参照する。支持板３１は、金属製の１枚板が折り曲げられて形成されている。支持板３１は、平板状に形成されピン３８、３８を介して壁Ｗａに固定された固定板部３１ａと、この固定板部３１ａの下端から前方に折り曲げられ前方に突出している下部突出部３１ｂ（突出部３１ｂ）と、固定板部３１ａの上端から前方に折り曲げられ前方に突出している上部突出部３１ｃと、を有する。
【００２０】
下部突出部３１ｂは、固定板部３１ａの下端から前方に向かって略垂直に、前方に延びている。下部突出部３１ｂには、ケース４０の後部が掛けられている。図４を参照する。下部突出部３１ｂ、３１ｂは、左右に２箇所形成されている。
【００２１】
図３を参照する。上部突出部３１ｃは、側面視において略Ｌ字状を呈し、左右方向に連続して形成されている。上部突出部３１ｃの縦辺の上部は、ケース４０の形状に沿って上方に向かって斜め前方に延びている。上部突出部３１ｃには、ケース４０の後部が掛けられている。
【００２２】
図３を参照する。ケース４０は、支持板３１に支持された後部ケース体５０と、この後部ケース体５０に支持され室内ファン３３の後部を覆っている中央部ケース体４２と、この中央部ケース体４２に支持されフィルタユニット６０の前方を覆っている前部ケース体４３と、を有している。
【００２３】
後部ケース体５０は、例えば、樹脂成形により成形された樹脂成形品である。後部ケース体５０は、下端に位置しダストボックス７０が収納されるケース開口部５１ａが開けられたケース底部５１と、このケース底部５１の後端に一体的に形成され下部突出部３１ｂに掛けられた下部ケース爪部５２（ケース爪部５２）と、ケース開口部５１ａの後の縁から一体的に立ち上げられケース４０の後端を仕切るケース後壁部５３と、このケース後壁部５３の上端から前後に延びるケース天井部５４と、ケース天井部５４からケース底部５１までを接続しているケース側壁部５５（図４参照）と、ケース後壁部５３の上部から後方に突出し上部突出部３１ｃに掛けられた上部ケース爪部５６と、を有している。
【００２４】
図４を参照する。ケース開口部５１ａ、５１ａは、略矩形状を呈し、ケース底部５１の左右の２箇所に形成されている。
【００２５】
図５を参照する。ケース開口部５１ａ、５１ａは、共に、下部突出部３１ｂ、３１ｂの前方に位置している。ケース開口部５１ａ、５１ａは、下部突出部３１ｂ、３１ｂの左右方向の中央位置から前方に延びる線ＣＬ上に位置している。特に、右のケース開口部５１ａの左右方向の中央位置Ｃ１は、下部突出部３１ｂの左右方向の中央位置から前方に延びる線ＣＬ上に位置している。
【００２６】
図３を参照する。下部ケース爪部５２は、ダストボックス７０の後方に位置している。
【００２７】
図６を併せて参照する。ケース後壁部５３は、ケース開口部５１ａの縁から上方に延びる後壁下部５３ａと、この後壁下部５３ａの上端から後斜め上方に延びる斜壁部５３ｂと、を有する。
【００２８】
後壁下部５３ａの下端には、略矩形状の開口である後壁穴部５３ｃが開けられている。後壁穴部５３ｃの後方には、下部ケース爪部５２が形成されている。後壁穴部５３ｃは、樹脂成形時に下部ケース爪部５２を形成するためのスライド型によって形成された穴である。
【００２９】
斜壁部５３ｂの下端である斜壁部下端部５３ｄの前端は、後壁下部５３ａの上端よりも前方に突出している。斜壁部下端部５３ｄは、ダストボックス７０の後部上端を覆っている。これにより、ダストボックス７０の後部上端に塵埃が溜まることを抑制している。
【００３０】
図３を参照する。中央部ケース体４２は、空気を取り入れるために上部に開けられた空気導入口４２ａと、冷却された空気を吹き出すために開けられた送風口４２ｂと、を有している。送風口４２ｂには、スイング可能にルーバー３９が設けられている。ルーバー３９をスイングさせることによって、送風口４２ｂを開閉し、風向きの調整を行う。
【００３１】
フィルタユニット６０は、空気導入口に沿って設けられた樹脂枠状の支持体６１と、この支持体６１上を移動可能に設けられたフィルタ６２と、このフィルタ６２に駆動力を伝達しフィルタ６２を前後方向に移動させる駆動機構６３と、清掃時に後退させたフィルタ６２が収納されるフィルタ収納部６４と、を有する。
【００３２】
フィルタ６２裏面の左右方向端部は、駆動機構６３に噛み合うラックが形成されている。
【００３３】
駆動機構６３は、駆動源としてのモータに、直接的又は間接的にピニオンギヤ６３ａが連結されてなる。ピニオンギヤ６３ａは、フィルタ６２に形成されたラックに噛み合っている。
【００３４】
清掃ユニット３６は、フィルタ６２に当接すると共に回転可能に設けられフィルタ６２に付着した塵埃を絡め取るブラシ３６ａと、このブラシ３６ａに当接しブラシ３６ａに付着した塵埃をブラシ３６ａから分離する分離部３６ｂと、を有する。
【００３５】
分離部３６ｂは、フィルタ収納部６４の上端に固定された櫛状の部材である。
【００３６】
ダストボックス７０は、側面視において略五角形に形成されている。より詳細には、長方形の上辺の前部から前辺の上部までを斜めに切り落とした五角形に形成されている。ダストボックス７０の前部に形成された斜辺に対応する部分は、フィルタ収納部６４の後面によって覆われている。
【００３７】
図４及び図５を参照する。ダストボックス７０、７０は、２つのケース開口部５１ａ、５１ａにそれぞれ取り付けられる。左右のダストボックス７０、７０は、共に同じ構成である。このため、以下、左のダストボックス７０のみについて説明する。右のダストボックス７０については、説明を省略する。
【００３８】
ダストボックス７０は、例えば、樹脂成形によって一体的に形成されている。ダストボックス７０は、左右方向の中央に操作者が摘まむ操作部７１を有している。操作部７１の左右は、塵埃が収集される箱状の収集部７２、７２とされている。
【００３９】
図６を参照する。操作部７１は、下方に開口した略Ｕ字状の摘まみ部７１ａ、７１ａを前後方向に２つ有している。
【００４０】
前の摘まみ部７１ａの前部には、前方に向かって突出しケース開口部５１ａの縁に掛かっているボックス突出部７１ｂが形成されている。後ろの摘まみ部７１ａの後部には、後方に向かって突出しケース開口部５１ａの縁に掛かっているボックス突出部７１ｂが形成されている。ボックス突出部７１ｂ、７１ｂは、共に下方に向かって突出量が大きくなる扇形状を呈する。なお、後ろのボックス突出部７１ｂは、後壁穴部５３ｃの下端の縁に掛かっている、ということもできる。
【００４１】
２つの摘まみ部７１ａ、７１ａの間は左右の収集部７２、７２を繋ぐリブ部７１ｃによって仕切られている。
【００４２】
図７を参照する。摘まみ部７１ａ、７１ａは、操作者が指を入れることのできる部位であり、前後の摘まみ部７１ａ、７１ａに指を入れてリブ部７１ｃに向かって押し込むことにより、中央に向かって撓ませることができる。
【００４３】
中央に向かって撓ませることにより、前後のボックス突出部７１ｂ、７１ｂは、ケース開口部５１ａの前後の幅内まで変位する。摘まみ部７１ａ、７１ａを中央に撓ませたままダストボックス７０を下方に下げることにより、ダストボックス７０をケース４０から外すことができる。
【００４４】
図３を参照する。収集部７２は、前端の上部がフィルタ収納部６４の下端に沿って配置され、後端の上部が斜壁部下端部５３ｄの近傍に位置している。塵埃は、ケース後壁部５３とフィルタ収納部６４との間を落下する。このため、収集部７２は、塵埃の落下する部位の全体に臨んでいる、ということができる。
【００４５】
以下に、本発明の空気調和装置１０の作用について説明する。
【００４６】
図３を参照する。例えば、空気調和装置１０は、冷房運転を終えると、清掃運転を開始する。清掃運転時には、駆動機構のモータが作動する。駆動機構６３のモータが作動すると、ピニオンギヤ６３ａが回転しフィルタ６２を後退させる。後退するフィルタ６２は、フィルタ収納部６４に沿って後退する。フィルタ６２の表面には、ブラシ３６ａが当接しており、ブラシ３６ａが回転しながらフィルタ６２に付着した塵埃を絡め取る。ブラシ３６ａには、分離部３６ｂが当接している。さらにブラシ３６ａが回転することにより、塵埃は、分離部３６ｂによってブラシ３６ａから分離される。分離された塵埃は、フィルタ収納部６４とケース後壁部５３との間を通過してダストボックス７０に落下し、収集される。
【００４７】
図７を参照する。空気調和装置１０の操作者は、清掃運転の終了後にダストボックス７０をケース４０から取り外し、ダストボックス７０内の塵埃を廃棄する。塵埃を廃棄した後は、ダストボックス７０をケース開口部５１ａに向かって押し込む。ボックス突出部７１ｂ、７１ｂは、下方に向かって突出量が連続的に増加している。このため、ダストボックス７０をケース４０に向かって押し込むことにより、ボックス突出部７１ｂ、７１ｂは、ケース開口部５１ａの縁によって前後方向の中央部に押し込まれる。さらに押し込むことにより、ボックス突出部７１ｂ、７１ｂは、ケース開口部５１ａを通過し、図６に示すように元の形状に戻る。これにより、ダストボックス７０の取り付けが終わる。
【００４８】
なお、清掃運転が開始される条件は、冷房運転の終了時に自動的に開始される場合に限られない。操作者による清掃運転の開始操作によって、清掃運転が開始されてもよい。このほか、任意の条件によって清掃運転を開始させることができる。
【００４９】
以上に説明した本発明は、以下の効果を奏する。
【００５０】
図３及び図５を参照する。ケース４０の下部に空けられたケース開口部５１ａの縁にダストボックス７０が掛けられている。ダストボックス７０が縁に掛けられるケース開口部５１ａは、ケース４０の底面視を基準として、下部突出部３１ｂの前方に位置している。ダストボックス７０をケース４０から取り外す際に、ケース４０には、下向きの力が加わる。ダストボックス７０が設けられるケース開口部５１ａが下部突出部３１ｂの前方に形成されているため、ケース４０に加わる負荷の多くを支持板３１に逃がすことができる。支持板３１に負荷を逃がすことにより、ケース４０に加わる負荷を軽減させることができる。ケース４０の保護性能が高められた空気調和装置１０を提供することができる。
【００５１】
特に、右のダストボックス７０において、ケース開口部５１ａの左右方向の中央位置は、下部突出部３１ｂの左右方向の中央位置から前方に延びる線ＣＬ上に位置する。即ち、ケース開口部５１ａの左右方向の中央位置は、下部突出部３１ｂの左右方向の中央位置の前方に位置する。よりケース４０に加わる負荷の多くを支持板３１に逃がすことができる。ケース４０の保護性能がさらに高められた空気調和装置１０を提供することができる。
【００５２】
図６を参照する。ケース後壁部５３は、ケース開口部５１ａの縁から立ち上げられている。このため、後壁穴部５３ｃの下端は、ケース開口部５１ａの後端と一致し、又は、上下方向に重なる。これにより、後のボックス突出部７１ｂを、ケース後壁部５３の下方に沿って配置することができる。これにより、ダストボックス７０の収集部７２をより広く確保することができる。加えて、後壁穴部５３ｃは、下部ケース爪部５２を形成する際に、スライド型によって形成された穴である。スライド型の抜き穴を、後ろのボックス突出部７１ｂを掛ける部位として兼用することができる。
【００５３】
図３を参照する。斜壁部下端部５３ｄの前端は、後壁下部５３ａの上端から前方に突出している。ダストボックス７０は、斜壁部下端部５３ｄの下方に位置している。ダストボックス７０は、斜壁部下端部５３ｄによって、上方への移動が規制されている。ダストボックス７０の取付時にダストボックス７０を上方に向かって過剰に押し込むことを抑制できる。ケース後壁部５３の形状によって、過剰な押し込みを規制する。少ない部品点数によって、ダストボックス７０の過剰な押し込みを規制することができ、有益である。
【００５４】
尚、本発明による空気調和装置は、冷房機能及び暖房機能の両方を備えた空気調和装置を例に説明した。しかし、本発明は、冷房機能のみや暖房機能のみからなる空気調和装置にも適用可能である。
【００５５】
さらに、本発明は、室外機及び室内機からなる空気調和装置のみならず、これらが一体化された空気調和装置にも適用可能である。
【００５６】
本発明の作用及び効果を奏する限りにおいて、本発明は実施例に限定されるものではない。
【産業上の利用可能性】
【００５７】
本発明の空気調和装置は、清掃ユニットを有する空気調和装置に好適である。
【符号の説明】
【００５８】
１０…空気調和装置
３１…支持板
３１ｂ…下部突出部（突出部）
３４…室内熱交換器（熱交換器）
４０…ケース
５１ａ…ケース開口部
５３…ケース後壁部
５３ｃ…後壁穴部
７０…ダストボックス
Ｃ１…（ケース開口部の左右方向の）中央位置
ＣＬ…線
Ｗａ…壁
【図１】
2020008175.tif 000003
【図２】
2020008175.tif 000004
【図３】
2020008175.tif 000005
【図４】
2020008175.tif 000006
【図５】
2020008175.tif 000007
【図６】
2020008175.tif 000008
【図７】
2020008175.tif 000009